(57)【要約】【課題】  容易にネックレスに取り付けることができ、健康具と人体との接触面積が広く、継続的に効率良く磁力効果・チタン効果等を得ることができる健康具を提供する。【解決手段】  本体と、ネックレスのチェーン部分に取り付け可能な一対の取付部とを有し、本体には、磁石部材及びチタン部材が埋め込まれ、チタン部材の一部は、本体に設けられた平面部から露出していることを特徴とする。また、本体には、本体から突出して取付連結部が設けられ、この取付部は、取付連結部と、取付連結部に設けられた貫通穴と、貫通穴内を可動状態に収納された円柱状の取付連結部材と、取付連結部材の両端に設けられた一対の取付部材とからなり、チタン部材は、略円柱状をし、複数のチタン部材が等間隔に設けられていても良い。【選択図】  図１
2006101969.tif 000002
【特許請求の範囲】
【請求項１】
本体と、ネックレスのチェーン部分に取り付け可能な一対の取付部とを有し、該本体には、磁石部材及びチタン部材が埋設され、該チタン部材の一部は、前記本体に設けられた平面部から露出していることを特徴とするネックレス取り付け式健康具。
【請求項２】
前記本体には、該本体から突出して取付連結部が設けられ、前記取付部は、該取付連結部と、該取付連結部に設けられた貫通穴と、該貫通穴内を可動状態に収納された円柱状の取付連結部材と、該取付連結部材の両端に設けられた一対の取付部材とからなり、前記チタン部材は、略円柱状をし、複数の該チタン部材が等間隔に設けられていることを特徴とする請求項１に記載のネックレス取り付け式健康具
【発明の詳細な説明】
【技術分野】
【０００１】
本発明は、ネックレスに取り付けて使用する健康具に関する。
【背景技術】
【０００２】
磁石を利用して肩、首筋の凝りを解消しようとする健康具は、多種多様に研究開発されている。その中にネックレス関係の健康具がある。このネックレス関係の健康具には大きく分けて、ネックレス自体が磁石で形成された磁気ネックレスタイプのものと、ネックレスに取り付けて使用するタイプの２種類がある。
【０００３】
磁気ネックレスタイプのものは、ネックレス自体を磁石で形成したものである。しかし、このタイプのものはネックレス自体を磁石で形成しなければならないため、製造が複雑困難であり、多様な形状のネックレスを製造しにくいという特徴を有している。その結果、様々な消費者の好みに応えることが難しいという問題を有していた。
【０００４】
これに対して、ネックレスに取り付けて使用するタイプのものは、ネックレスの本体やネックレスの連結部に取り付けて使用するものである。このタイプのものは、どの様なネックレスでも使用が可能であるため、利便性があるという特徴を有していた。
【発明の開示】
【発明が解決しようとする課題】
【０００５】
従来のネックレスに取り付けて使用するタイプの健康具としては、特開平９−２２０２８９号に記載された発明のものが多い。この健康具は、図６に示されたように、ケース部材に円筒状の磁石を埋設している。しかし、この形状では、健康具の大きさと比べて健康具と接する箇所が非常に小さいため、健康具を使用することによる効果が非常に少ないという問題を有していた。
【０００６】
そこで、ネックレスに取り付けて使用した時に、健康具との接触面積が広く、効果的に磁力効果等を得ることができる健康具の開発が望まれていた。
【特許文献１】特開平９−２２０２８９号公報
【課題を解決するための手段】
【０００７】
上記課題を解決するために本発明に係るネックレス取り付け式健康具は、本体と、ネックレスのチェーン部分に取り付け可能な一対の取付部とを有し、本体には、磁石部材及びチタン部材が埋め込まれ、チタン部材の一部は、本体に設けられた平面部から露出していることを特徴とする。
【０００８】
また、本体には、本体から突出して取付連結部が設けられ、取付部は、取付連結部と、取付連結部に設けられた貫通穴と、貫通穴内を可動状態に収納された円柱状の取付連結部材と、取付連結部材の両端に設けられた一対の取付部材とからなり、チタン部材は、略円柱状をし、複数のチタン部材が等間隔に設けられていても良い。
【発明の効果】
【０００９】
本発明に係るネックレス取り付け式健康具は、本体と、ネックレスのチェーン部分に取り付け可能な一対の取付部とを有し、本体には、磁石部材及びチタン部材が埋め込まれ、チタン部材の一部は、本体に設けられた平面部から露出しているため、多種多様なネックレスにも取付が可能であり、利便性及び汎用性を有している。
【００１０】
また、本発明に係るネックレス取り付け式健康具の取付部は、本体から突出して設けられた取付連結部と、取付連結部に設けられた貫通穴と、貫通穴内を可動状態に収納された円柱状の取付連結部材と、取付連結部材の両端に設けられた一対の取付部材とからなり、本体の平面部は所定の面積を有した略平方形をなしているため、取付連結部材を軸として本体が移動・回転が可能で、本体を最初に設置した位置との位置ずれが生じなくなり、効率的・継続的に磁石・チタン効果を得ることができる。
【発明を実施するための最良の形態】
【００１１】
本発明に係るネックレス取り付け式健康具２について図を参照にしながら説明する。図１は、本発明に係るネックレス取り付け式健康具２を示した説明図であり、図２は本体の側面図、図３は本体の底面図である。また、図５は、本発明に係るネックレス取り付け式健康具２をネックレス２０に取り付けた状態を示した説明図である。なお、これらの図は、本発明を説明する便宜上のものであり、本発明を何ら限定するものではない。
【００１２】
本発明に係るネックレス取り付け式健康具２は、本体４と、ネックレス２０のチェーン部分に取り付け可能な一対の取付部８とを有している。
【００１３】
本体４の形状は、適宜設定すれば良いが、本体４の一部には平面部６が設けられている。平面部６の大きさ、形状等は、本体４の形状や、チタン部材１６・磁石部材１８の形状等を考慮して適宜設定すれば良い。また、図３に示されているように、平面部６が正方形状であっても良い。本体４の材料としては、成型容易な樹脂を使用するのが良いが、各種金属やその他の材料を使用しても良く、特に限定しない。
【００１４】
この本体４には、チタン部材１６及び磁石部材１８が埋設又は取り付けられている。また、チタン部材１６は、図２に示されているように平面部６近傍に埋設され、一部が平面部６から露出しているのが良い。
【００１５】
チタン部材１６の形状としては、平面部６から露出させる部位の形状を考慮して適宜設定すれば良い。図中ではチタン部材１６として、円柱状に形成している。この形状にすると、露出している部分が曲線となっているため、チタン部材１６と人肌が接触しても、怪我や裂傷のおそれがなくなる。また、この他の形状としては、球状であっても良い。また、図２及び図３に示されている示されているようにチタン部材１６を複数個設けても良い。
【００１６】
磁石部材１８の形状についても、どの様な形状でも良く、特に限定しない。また、磁石部材１８に使用される磁石としては、フェライト磁石、サマリウムコバルト磁石、ネオジウム磁石などを使用することができるが、どの様な磁石を使用するかについては適宜設定すれば良い。また、磁石部材１８の埋設位置については、チタン部材１６と同様に一部を露出して埋設されても良いし、その他の部位に埋設されても良い。
【００１７】
チタン部材１６及び磁石部材１８の埋設方法又は取付方法としては、特に限定しないが、着脱自在に設けられても良いし、着脱不能に設けられても良い。また、チタン部材１６・磁石部材１８の他にもコバルト部材等を設けても良く、本体に埋設する部材は適宜設定すれば良い。
【００１８】
本発明に係る取付部８は、ネックレス２０のチェーン部分に取り付けることができ、本体４を保持することができれば、どの様な構造、手段であっても良い。この取付部８の一例としては、本体４から突出して取付連結部１０を設け、取付連結部１０には貫通穴を設け、貫通穴内を可動状態に収納された円柱状の取付連結部材１２と、取付連結部材１２の両端に一対の取付部材１４を設けるのが良い。
【００１９】
取付連結部１０は、図１に示された様に、本体４の端部に設けるのが良いが、その他の部位でも良い。また、取付連結部１０の形状については、適宜設定すれば良いが、容易に折れたり、破損しない様な形状であるのが好ましい。
【００２０】
取付連結部材１２は、取付連結部材１２を軸として本体４が回転可能となるように、円柱状が良い。この取付連結部材１２の材料としては、本体４と同様に樹脂を使用するのが良いが、各種金属を使用しても良い。この時、円柱状の取付連結部材１２を形成した時、折れ曲げても破損しない程度の軟性を有していると更に良い。
【００２１】
取付部材１４としては、図１に示されているような、一般的にネックレス２０の連結部に使用されている連結具を使用するのが良いが、その他の部材、手段であっても良い。
【００２２】
取付部８を上記構造にすることにより、取付連結部材１２を軸として本体４が移動及び回転可能となるため、人が何らかの動作をしても本体４位置がずれることがない。また、図１に示されたように、取付部８が本体４の端部に設けられ、平面部６がある程度の面積を有しているため、テコの原理が働いて本体４が移動しにくくなる。また、人が何らかの動作をして、ネックレス２０がねじれたとしても、取付連結部材１２が貫通穴内で回転してしまうため、本体４が移動することが無い。
【００２３】
以上が本発明に係るネックレス取り付け式健康具２についての説明であるが、本発明の目的を逸脱しない限り、種々の設定、条件は変更が可能である。
【図面の簡単な説明】
【００２４】
【図１】本発明に係るネックレス取り付け式健康具を示した説明図である。
【図２】本発明に係るネックレス取り付け式健康具の本体を示した側面図である。
【図３】本発明に係るネックレス取り付け式健康具の本体を示した底面図である。
【図４】本発明に係るネックレス取り付け式健康具の使用状態を示した説明図である。
【図５】本発明に係るネックレス取り付け式健康具の使用状態を示した説明図である。
【図６】従来のネックレス取り付け式健康具を示した説明図である。
【符号の説明】
【００２５】
２    ネックレス取り付け式健康具
４    本体
６    平面部
８    取付部
１０  取付連結部
１２  取付連結部材
１４  取付部材
１６  チタン部材
１８  磁石部材
２０  ネックレス
【図１】
2006101969.tif 000003
【図２】
2006101969.tif 000004
【図３】
2006101969.tif 000005
【図４】
2006101969.tif 000006
【図５】
2006101969.tif 000007
【図６】
2006101969.tif 000008